(57)【特許請求の範囲】
【請求項１】
長手方向と直交する左右水平方向へそれぞれ突出するフラップを有し、天端面から底面まで貫通するネジ穴が形成されたベースと、ベースの長手方向に沿って延在し、ベースの天端面中央から上方へ向かって突出する頭部と、ベースの底面中央から下方へ向かって突出する脚部とからなるデッキ材固定具において、
前記頭部には、目地材を取り付けるための係止手段が形成されるとともに、前記ネジ穴にネジを差し込んだ際に、ネジ頭部分を通過させてベース内まで、或いは、ベースの天端面近傍まで進入させることができるネジ受け部が形成されていることを特徴とするデッキ材固定具。
【請求項２】
前記係止手段が、頭部の横幅方向中央においてベースの長手方向に沿って延在する係止溝、又は、係止突条であることを特徴とする、請求項１に記載のデッキ材固定具。
【請求項３】
請求項２に記載のデッキ材固定具と、目地材とからなるデッキ材固定具ユニットであって、
前記目地材は、底面に、頭部の係止溝に嵌合させることができる係止突条、又は、頭部の係止突条を嵌合させることができる係止溝が、下方へ向かって突出するように形成されていることを特徴とするデッキ材固定具ユニット。
【請求項４】
前記目地材は、一つのデッキ材固定具によって固定される二つのデッキ材の間の隙間を全面的に閉塞できるように、天端部が、デッキ材固定具の頭部の横幅寸法とほぼ同一の寸法に設定されていることを特徴とする、請求項３に記載のデッキ材固定具ユニット。
【請求項５】
前記目地材の天端部の両側縁に、外側へ向かって突出する小突条部がそれぞれ形成されていることを特徴とする請求項４に記載のデッキ材固定具ユニット。
【請求項６】
前記目地材は、一つのデッキ材固定具によって固定される二つのデッキ材の間の隙間が縮小されるように、天端部が、デッキ材固定具の頭部の横幅寸法よりも小さい幅寸法に設定されていることを特徴とする、請求項３に記載のデッキ材固定具ユニット。
【請求項７】
請求項３〜６のいずれかに記載のデッキ材固定具ユニットと、長手側面に凹溝が形成されているデッキ材を用いて、床面を施工する方法であって、
根太材の上に、根太材の長手方向と直交する方向にデッキ材を載置し、デッキ材の凹溝内に、デッキ材固定具のフラップを進入させ、
デッキ材固定具のネジ穴内に差し込んだネジを締め付けて、ネジの先端側を根太材にねじ込んで、デッキ材固定具を根太材上にネジ止めし、
一つのデッキ材固定具によって固定される二つのデッキ材の間に形成される隙間に、前記目地材を嵌め込み、
前記目地材、又は、前記頭部のいずれかに形成されている係止突条を、前記頭部、又は、前記目地材のいずれかに形成されている係止溝内に嵌合させることを特徴とする床面の施工方法。
【発明の詳細な説明】
【技術分野】
【０００１】
本発明は、建築物のテラスやバルコニーなどの床面を構築すべくデッキ材を並べて敷設する際、根太材等に対するデッキ材の取り付け作業を、効率よくかつ正確に行うことができるデッキ材の固定具の改良に関するものである。
【背景技術】
【０００２】
デッキ材を根太材等に対して固定するための器具として、特開２００８−３１７５７号公報に記載されているようなデッキ材固定具が知られている。このデッキ材固定具は、左右水平方向へそれぞれ所定幅で突出するフラップと、上下垂直方向へそれぞれ所定量突出する頭部、及び、脚部とによって構成されており、頭部の中央には、脚部の底面まで貫通する垂直なネジ穴が形成されている。
【０００３】
このデッキ材固定具を用いて、デッキ材を根太材に対して固定する場合、まず、根太材の上に、根太材の長手方向と直交する方向にデッキ材を載置し、デッキ材の長手側面に形成された凹溝内にフラップを進入させた状態で、頭部及び脚部を貫通するネジ穴内にネジを差し込む。そして、このネジを締め付けて、先端側を根太材にねじ込んで、デッキ材固定具を根太材上にネジ止めする。そうすると、デッキ材が、凹溝内に進入しているフラップにより押さえ込まれて、根太材上において固定される。
【０００４】
このデッキ材固定具を用いると、位置決めが容易であり、また、ネジ止めを行うだけで簡単かつ確実に、正確に作業を行うことができ、熟練者でない者であっても、短時間できれいに仕上げることができる。
【先行技術文献】
【特許文献】
【０００５】
【特許文献１】特開２００８−３１７５７号公報
【発明の概要】
【発明が解決しようとする課題】
【０００６】
この種のデッキ材固定具を用いてデッキ材を固定した場合、例えば、図１０に示すような外観となる。具体的には、隣接するデッキ材５９，５９間において、根太材５８と交差する箇所毎に、デッキ材固定具５１が配置されることになり、頭部５３の幅寸法（５ｍｍ程度）分だけ、デッキ材５９，５９間に隙間Ｃが形成されることになる。
【０００７】
このような間隙Ｃは、デッキ面の雨水の排出と、根太材５８やその他の基礎部分の通気性を向上させるというメリットがあるが、コインやＩＣカード等の貴重品や、その他の物品が簡単に通過してしまう大きさであるため、商業施設や公共施設等においては、貴重品落下等のトラブルが憂慮されることもある。
【０００８】
また、デッキ材固定具５１の頭部５３は、隣接するデッキ材５９，５９間において目視できる状態にあり、頭部５３の中央には、ネジ頭部分が露呈しているため、美観を損ねてしまうという問題もある。
【０００９】
本発明は、デッキ材間に形成される隙間を簡単に埋めることができ、物品の落下トラブル等を解決できるほか、美観の問題も解消し、美しい仕上がりの床面を構築することができ、かつ、雨水を排出し、適度な通気性を確保することができ、目地材の選別により隙間を密閉することもできる（この場合、物品の落下だけでなく、ほこり等の落下も防ぐことができるため、室内用途等の床材の固定にも適用できる）デッキ材固定具、及び、床面の施工方法を提供することを目的とする。
【課題を解決するための手段】
【００１０】
本発明に係るデッキ材固定具は、ベースと、頭部と、脚部とによって構成され、ベースは、長手方向と直交する左右水平方向へそれぞれ突出するフラップを有し、天端面から底面まで貫通するネジ穴が形成され、頭部は、ベースの長手方向に沿って延在し、ベースの天端面中央（横幅方向中央）からから上方へ向かって突出するように形成され、脚部は、ベースの底面中央（横幅方向中央）から下方へ向かって突出するように形成され、頭部には、目地材を取り付けるための係止手段（頭部の横幅方向中央においてベースの長手方向に沿って延在する係止溝、又は、係止突条）が形成されるとともに、ネジ穴にネジを差し込んだ際に、ネジ頭部分を通過させてベース内まで、或いは、ベースの天端面近傍までネジ頭部分を進入させることができるネジ受け部が形成されていることを特徴としている。
【００１１】
また、本発明のデッキ材固定具ユニットは、上記デッキ材固定具と、目地材とによって構成され、目地材は、底面に、頭部の係止溝に嵌合させることができる係止突条、又は、頭部の係止突条を嵌合させることができる係止溝が、下方へ向かって突出するように形成されていることを特徴としている。
【００１２】
尚、目地材としては、一つのデッキ材固定具によって固定される二つのデッキ材の間の隙間を全面的に閉塞できるように、天端部が、デッキ材固定具の頭部の横幅寸法とほぼ同一の寸法（同一寸法±１ｍｍ）に設定され、目地材の天端部の両側縁に、外側へ向かって突出する小突条部がそれぞれ形成されているもの、或いは、デッキ材間の隙間が縮小されるように、天端部が、デッキ材固定具の頭部の横幅寸法よりも小さい幅寸法に設定されているものを使用することができる。
【００１３】
また、本発明の床面の施工方法は、上記デッキ材固定具ユニットと、長手側面に凹溝が形成されているデッキ材を使用し、根太材の上に、根太材の長手方向と直交する方向にデッキ材を載置し、デッキ材の凹溝内に、デッキ材固定具のフラップを進入させ、デッキ材固定具のネジ穴内に差し込んだネジを締め付けて、ネジの先端側を根太材にねじ込んで、デッキ材固定具を根太材上にネジ止めし、デッキ材の間に形成される隙間に、目地材を嵌め込み、目地材、又は、頭部のいずれかに形成されている係止突条を、頭部、又は、目地材のいずれかに形成されている係止溝内に嵌合させることを特徴としている。
【発明の効果】
【００１４】
本発明のデッキ材固定具は、頭部に、目地材を取り付けるための係止溝又は係止突条が形成されており、デッキ材固定具の上方に目地材を取り付けることができるため、デッキ材間の隙間を閉塞し、或いは、隙間の幅を縮小することができ、物品の落下トラブル等を防止することができる。尚、目地材が係止される頭部には、デッキ材固定具をネジ止めするために差し込まれるネジの頭部分を通過させて、ベースの天端面近傍まで進入させることができるネジ受け部が形成されているため、目地材の係止手段とネジ頭部分との干渉を回避することができ、問題なく目地材を装着することができる。
【００１５】
また、デッキ材固定具のネジ止めに使用されるネジの頭部分が、目地材によって上方から覆い隠されることになるため、美観を損ねるという問題を好適に解決することができ、美しい仕上がりの床面を構築することができる。
【００１６】
尚、目地材として、クローズドタイプのものを選択して装着した場合には、デッキ材間の隙間を全面的に閉塞することができ、物品の落下トラブルを好適に防止することができる。また、目地材として、オープンタイプのものを選択して装着した場合には、雨水や空気を通過させることができるほか、隙間が縮小されるため、物品の落下トラブルの抑制という効果を期待することができる。
【図面の簡単な説明】
【００１７】
【図１】図１は、本発明の第一実施形態に係るデッキ材固定具１の上方からの斜視図である。
【図２】図２は、図１のデッキ材固定具１の下方からの斜視図である。
【図３】図３は、図１のデッキ材固定具１の平面図である。
【図４】図４は、図１のデッキ材固定具１の側面図である。
【図５】図５は、図４に示すＸ−Ｘ線によるデッキ材固定具１の垂直断面図である。
【図６】図６は、図１のデッキ材固定具１に装着される目地材６Ａ，６Ｂの斜視図である。
【図７】図７は、図１のデッキ材固定具１を根太材８上にネジ止めして、デッキ材９（９’）を固定するとともに、目地材６Ａを装着した状態を示すデッキ材固定具１等の垂直断面図である。
【図８】図８は、図１のデッキ材固定具１を根太材８上にネジ止めして、デッキ材９（９’）を固定するとともに、目地材６Ｂを装着した状態を示すデッキ材固定具１等の垂直断面図である。
【図９】図９は、図１のデッキ材固定具１を根太材８上にネジ止めして、デッキ材９（９’）を固定するとともに、目地材６Ｂを装着した状態を示すデッキ材固定具１等の平面図である。
【図１０】図１０は、従来のデッキ材固定具５１を用いて根太材５８上にデッキ材５９を固定した状態を示すデッキ材５９等の平面図である。
【発明を実施するための形態】
【００１８】
以下、添付図面に沿って本発明の実施形態について説明する。図１及び図２は、本発明の第一実施形態に係るデッキ材固定具１の斜視図であり、図３はその平面図、図４は側面図、図５は、図４に示すＸ−Ｘ線によるデッキ材固定具１の垂直断面図である。このデッキ材固定具１は、ベース２、頭部３、及び、脚部４によって構成されている。
【００１９】
ベース２は、図示されているように、長手方向と直交する左右水平方向へそれぞれ突出するフラップ２ａ，２ｂを有している。頭部３は、ベース２の長手方向に沿って延在し、ベース２の天端面中央から上方へ向かって突出している。脚部４は、ベース２の底面中央から下方へ向かって突出している。また、ベース２の中央部には、天端面から底面まで貫通する垂直なネジ穴５が形成されている。
【００２０】
尚、頭部３には、ネジ穴５にネジを差し込んで締め付けを行う際に、ネジ頭部分を通過させてベース２内まで（或いは、ベース２の天端面近傍まで）進入させることができるように、ネジ受け部３ａ（ネジ穴５の上方において、ネジ頭部分を進入させるための空間）が形成されている。また、これと同様に、脚部４にも、ネジの先端部分を通過させて、脚部４の下方へ突出させることができるように、ネジ通し部４ａ（ネジ穴５の下方において、ネジの先端部分を通過させるための空間）が形成されている。
【００２１】
また、頭部３には、図６に示すような目地材６Ａ、或いは、目地材６Ｂを取り付けるための係止溝３ｂ（係止手段）が形成されている（図１、図３、図５参照）。この係止溝３ｂは、図１等に示すように、頭部３の横幅方向中央においてベース２の長手方向に沿って延在している。一方、目地材６Ａ，６Ｂの底面には、頭部３の係止溝３ｂに嵌合させることができる幅寸法の係止突条７（図６参照）が下方へ向かって突出するように形成されている。
【００２２】
尚、図６の左側に示す目地材６Ａは、クローズドタイプの目地材であり、図１０に示したデッキ材５９，５９間の隙間Ｃを全面的に閉塞できるように、天端部１３が隙間Ｃとほぼ同一（デッキ材固定具１の頭部３の横幅寸法とほぼ同一）の寸法に設定されている。また、天端部１３の両側縁には、外側へ向かって僅かに突出する小突条部１３ａ，１３ａが形成されており、これらの小突条部１３ａ，１３ａを含めると、目地材６Ａの横幅寸法は、デッキ材５９，５９間の隙間Ｃの寸法よりも若干大きくなる。一方、図６の右側に示す目地材６Ｂは、オープンタイプの目地材であり、デッキ材５９，５９間の隙間Ｃが縮小されるように、天端部１３が、隙間Ｃよりも小さい幅寸法に設定されている。
【００２３】
尚、いずれの目地材６Ａ，６Ｂも、断面形状（長手方向と直交する断面の形状）が、図６に示す端面形状と同一となる長尺（少なくとも根太材の配置間隔寸法よりも長い寸法、より好ましくは、根太材の配置間隔の整数倍の長さ寸法）の部材として成形されている。材質は特に限定されないが、アルミ等の金属、或いは、高耐久耐候プラスチック等によって形成されることが好ましい。
【００２４】
このデッキ材固定具１を用いて、デッキ材を根太材に対して固定する場合、図７、又は、図８に示すように、根太材８の上に、根太材８の長手方向と直交する方向にデッキ材９を載置し、デッキ材９（９’）の長手側面に形成された凹溝１０（１０’）内にフラップ２ｂ（２ａ）を進入させた状態で、ネジ穴５内にネジ１１を差し込み、締め付けて、先端側を根太材８内にねじ込んで、デッキ材固定具１を根太材８上にネジ止めする。そうすると、デッキ材９（９’）が、凹溝１０（１０’）内に進入しているフラップ２ｂ（２ａ）により押さえ込まれて、根太材８上において固定される。
【００２５】
そして、デッキ材９，９’間に形成される隙間（デッキ材固定具１の頭部３の幅寸法とほぼ等しい大きさ）に、目地材６Ａ（図７参照）、又は、目地材６Ｂ（図８参照）のいずれかを嵌め込んでいき、係止突条７を、デッキ材固定具１の頭部３に形成されている係止溝３ｂ内に嵌合させる。
【００２６】
尚、デッキ材９，９’間を完全に閉塞したい場合には、クローズドタイプの目地材６Ａを使用する。クローズドタイプの目地材６Ａを使用する場合、天端部１３の横幅寸法が、上述の通り、隙間Ｃとほぼ等しい寸法を有しているほか、その両側縁に小突条部１３ａ，１３ａが形成されているため、その突出量分だけ、隙間Ｃよりも幅寸法が大きくなっているが、隙間Ｃにあてがって圧入することにより、簡単に装着することができる。そして、装着後は、小突条部１３ａ，１３ａがデッキ材９，９’の各側縁に密着して安定する。
【００２７】
また、図７に示すように、デッキ材９，９’の側縁に、小突条部１３ａ，１３ａが嵌合する大きさの小溝１２が、適切な高さ位置に形成されている場合には、小突条部１３ａ，１３ａをそれらの小溝１２内に嵌合させることにより、装着状態をより一層安定させることができる。このように、目地材６Ａを使用した場合、デッキ材９，９’間の隙間Ｃから物品が落下するというトラブルを完全に回避することができる。尚、目地材６Ａとデッキ材９，９’とは、水密的な状態で接触している訳ではないので、デッキ材９，９’の表面から隙間Ｃに流れ込んだ雨水等は、目地材６Ａとデッキ材９，９’の接触部分からにじみ出るようにして、下方側へ排出されることになる。
【００２８】
一方、雨水等の排水性、或いは、通気性を十分に確保したい場合には、図８に示すように、オープンタイプの目地材６Ｂを使用する。この目地材６Ｂを隙間Ｃに装着すると、天端部１３とデッキ材９，９’の側縁との間に隙間（目地材６Ｂの左右にそれぞれ１．５ｍｍ程度ずつ）が残存し、それらの隙間（特に、図９に示す根太材８，８間の領域Ｄにおける目地材６Ｂとデッキ材９との間の隙間Ｅ１、及び、デッキ材９’との間の隙間Ｅ２）により、雨水や空気を通過させることができる。また、隙間Ｃの大きさが縮減されることになるため、物品の落下トラブル等の問題も抑制できる。
【００２９】
また、目地材６Ａ，６Ｂのいずれを使用した場合でも、デッキ材固定具１を固定するために使用されるネジ１１の頭部分が、目地材６Ａ，６Ｂによって上方から覆い隠されることになるため、美観を損ねるという問題を好適に解決することができ、美しい仕上がりの床面を構築することができる。
【００３０】
尚、本実施形態においては、デッキ材固定具１に対して目地材６Ａ，６Ｂを係止させるための手段として、頭部３に係止溝３ｂを形成するとともに、この係止溝３ｂに嵌合させることができる係止突条７を、目地材６Ａ，６Ｂの底面に形成しているが、それらを入れ替えて、頭部３側に係止突条を形成し、目地材６Ａ，６Ｂ側に係止溝を形成するようにしてもよい。
【符号の説明】
【００３１】
１：デッキ材固定具、
２：ベース、
２ａ，２ｂ：フラップ、
３：頭部、
３ａ：ネジ受け部、
３ｂ：係止溝、
４：脚部、
４ａ：ネジ通し部、
５：ネジ穴、
６Ａ，６Ｂ：目地材、
７：係止突条、
８：根太材、
９，９’：デッキ材、
１０，１０’：凹溝、
１１：ネジ、
１２：小溝、
１３：天端部、
１３ａ：小突条部、
５１：デッキ材固定具、
５３：頭部、
５８：根太材、
５９：デッキ材、
Ｃ：隙間
【図１】
0005297480.tif 000002
【図２】
0005297480.tif 000003
【図３】
0005297480.tif 000004
【図４】
0005297480.tif 000005
【図５】
0005297480.tif 000006
【図６】
0005297480.tif 000007
【図７】
0005297480.tif 000008
【図８】
0005297480.tif 000009
【図９】
0005297480.tif 000010
【図１０】
0005297480.tif 000011